(57)【要約】【課題】太陽光下等での時計の文字盤の視認性を改善し、時刻を容易に確認することができる時計を提供する。【解決手段】文字盤４と時針５及び分針６を備えた時計１において、前記文字盤４に、紫外線を吸収して発色する感紫外線発色部１０ａを設ける。前記感紫外線発色部１０ａは、前記文字盤４の時刻表示文字を構成するのが好ましい。さらに、前記時針５及び分針６に、紫外線を吸収して発色する感紫外線発色部１０ｂを設けるのが好ましい。【選択図】図２
0003140649.tif 000002
【実用新案登録請求の範囲】
【請求項１】
文字盤と時針及び分針とを備えた時計において、
前記文字盤に、紫外線を吸収して発色する感紫外線発色部を設けることを特徴とする、時計。
【請求項２】
前記感紫外線発色部は、前記文字盤の時刻表示文字を構成することを特徴とする、請求項１に記載の時計。
【請求項３】
前記時針及び分針に、紫外線を吸収して発色する感紫外線発色部をさらに設けることを特徴とする、請求項１又は２に記載の時計。
【請求項４】
文字盤と時針及び分針とを備えた時計において、
前記文字盤に、紫外線を吸収して発色する感紫外線発色部と、蓄積した光を暗所で発する発光部とを設けるとともに、
前記時針及び分針に、蓄積した光を暗所で発する発光部を設けることを特徴とする、時計。
【請求項５】
前記発光部は、前記文字盤の時刻表示文字を構成することを特徴とする、請求項４に記載の時計。
【考案の詳細な説明】
【技術分野】
【０００１】
本考案は、時計に関する。
【背景技術】
【０００２】
太陽光の下で腕時計の時間を確認しようとすると、腕時計の文字盤やガラスに太陽光が反射して、腕時計の文字盤を視認しにくいことがある。このため、従来から、腕時計のガラス面や文字盤に無反射処理を施し、光の反射による視認性の悪化を解消するように構成したものがある。
【０００３】
前記のような構成の腕時計では、使用時に無反射処理を施したコーティング層が剥離し、ガラス表面にキズ模様を形成することがある。このようなキズ模様は、ガラスに入射する光の角度によって視認可能であるため、ガラス表面全体に渡って複数形成されると、かえって文字盤の視認性の悪化を招き、太陽光の下で時刻を確認することが容易にできないという事態を引き起こす。
【考案の開示】
【考案が解決しようとする課題】
【０００４】
そこで、本考案は、太陽光下等での時計の文字盤の視認性を改善し、時刻を容易に確認することができる時計を提供することを課題とする。
【課題を解決するための手段】
【０００５】
本考案は、前記課題を解決するため、文字盤と時針及び分針とを備えた時計において、前記文字盤に、紫外線を吸収して発色する感紫外線発色部を設ける。
【０００６】
前記感紫外線発色部は、前記文字盤の時刻表示文字を構成するのが好ましい。
【０００７】
前記時針及び分針に、紫外線を吸収して発色する感紫外線発色部をさらに設けるが好ましい。
【０００８】
また、前記課題を解決するための構成として、本考案は、文字盤と時針及び分針とを備えた時計において、前記文字盤に、紫外線を吸収して発色する感紫外線発色部と、蓄積した光を暗所で発する発光部とを設けるとともに、前記時針及び分針に、蓄積した光を暗所で発する発光部を設ける。
【０００９】
前記発光部は、前記文字盤の時刻表示文字を構成するのが好ましい。
【考案の効果】
【００１０】
本考案の前記構成によれば、太陽光の下で時計を使用すると、感紫外線発色部が紫外線を吸収して視認が明瞭な色に発色するため、時計の風防ガラスや文字盤に太陽光が反射しても文字盤の視認性を損なうことがなく、時刻の確認を行うことができる。また、感紫外線発色部は、風防ガラスで保護された文字盤や時針及び分針に設けられるため、使用時に剥離して文字盤の視認性を悪化させることがない。
【考案を実施するための最良の形態】
【００１１】
以下、添付の図面に従い、腕時計を例に挙げて、本考案を説明する。
【００１２】
図１及び図２は、本考案の第１実施形態に係る腕時計１を示したものである。
【００１３】
腕時計１は、図１及び図２に示すように、公知のムーブメント（不図示）を収納したケース部２と、該ケース部２の表側をカバーする透明な風防ガラス３と、時刻表示文字が付された文字盤４と、時針５及び分針６と、時刻を調整するりゅうず７と、前記ケース部２にベルト取付部８を介して連結された一対のベルト９ａ，９ｂとを備える。
【００１４】
文字盤４には、感紫外線発色部１０ａが設けら、時針５及び分針６には、感紫外線発色部１０ｂが設けられる。感紫外線発色部１０ａ，１０ｂは、紫外線を吸収すると白色から異なる色に変色して発色する感紫外線発色材料を含有した塗料を文字盤４と時針５及び分針６に塗布し、乾燥させたものであり、感紫外線発色部１０ａは、前記文字盤４の時刻表示文字を構成する。感紫外線発色材料として使用されるのは、例えば、紫外線を吸収して白色から赤、緑、黄のいずれかに変色する公知のスピロオキサジン系等のフォトクロミック化合物の粉末である。前記３色以外の色に変色させる場合は、前記３種類の感紫外線発色材料から選択したものを適切に配合して色合いを調整する。文字盤４に塗布される塗料は、１種類のフォトクロミック化合物又は２種類以上を配合したフォトクロミック化合物の粉末、ワニス、酸化防止剤等を混合して液状にしたものである。例えば、本考案の第１実施形態においては、太陽光の下での良好な視認性を考慮して、蛍光を帯びた桃色に発色するように構成されている。
【００１５】
本考案の第１実施形態に係る腕時計１を太陽光や紫外線を含む光の下で使用すると、図１及び図２に示すように、感紫外線発色部１０ａ，１０ｂが、太陽光や光に含まれる紫外線を吸収して、白色から蛍光を帯びた桃色に発色して、文字盤４の時刻表示文字と時針５及び分針６の視認性が向上する。
【００１６】
これにより、本実施形態に係る腕時計１の風防ガラス３や文字盤４に太陽光が反射しても文字盤４の視認性を損なうことがなく、時刻の確認を容易に行うことができる。また、感紫外線発色部１０ａ，１０ｂは、風防ガラス３で保護された文字盤４や時針５及び分針６に設けられるため、使用時に剥離して文字盤４の視認性を悪化させることがない。
【００１７】
次に、本考案の第２実施形態に係る腕時計１について説明する。
【００１８】
図３及び図４は、本考案の第２実施形態に係る腕時計１を示したものである。
【００１９】
第２実施形態に係る腕時計１については、発光部１１ａ，１１ｂが設けられている点及び感紫外線発色部１０ａの構成が異なる点を除き、前記第１実施形態の構成と同一であるので、対応する部分に同一符号を付して説明を省略する。
【００２０】
文字盤４には、図３に示すように、発光部１１ａが設けられ、時針５及び分針６には、発光部１１ｂが設けられる。発光部１１ａ，１１ｂは、例えば、明所で蓄積した光を暗所で発する畜光塗料を文字盤４と時針５及び分針６に塗布したものであり、発光部１１ｂは、前記文字盤４の時刻表示文字を構成する。畜光塗料としては、例えば、硫化亜鉛タイプの畜光材料を含有したものが挙げられる。
【００２１】
文字盤４には、図４に示すように、前記第１実施形態と異なる構成で感紫外線発色部１０ａが設けられる。感紫外線発色部１０ａは、時刻表示文字を除く文字盤４の領域に、前記第１実施形態と同様に、紫外線を吸収すると白色から異なる色に変色して発色する感紫外線発色材料を含有した塗料を塗布したものである。
【００２２】
本考案の第２実施形態に係る腕時計１を光が照射されない暗所で使用すると、図４に示すように、発光部１１ａ，１１ｂが発光して、暗所でも文字盤４の時刻表示文字と時針５及び分針６を視認することができる。
【００２３】
一方、本考案の第２実施形態に係る腕時計１を太陽光や紫外線を含む光の下で使用すると、図４に示すように、感紫外線発色部１０ａが、太陽光や光に含まれる紫外線を吸収して、白色から蛍光を帯びた桃色に発色して、文字盤４の時刻表示文字の視認性が向上する。
【００２４】
これにより、本実施形態に係る腕時計１の視認性が使用場所の明暗に左右されることがなく、時刻の確認を容易に行うことができる。また、感紫外線発色部１０ａは、風防ガラス３で保護された文字盤４に設けられるため、使用時に剥離して文字盤４の視認性を悪化させることがない。
【図面の簡単な説明】
【００２５】
【図１】本考案の第１実施形態に係る腕時計の斜視図であり、紫外線が遮断された状況下での使用状態を示したものである。
【図２】本考案の第１実施形態に係る腕時計の斜視図であり、紫外線が照射された状況下での使用状態を示したものである。
【図３】本考案の第２実施形態に係る腕時計の斜視図であり、暗所での使用状態を示したものである。
【図４】本考案の第１実施形態に係る腕時計の斜視図であり、紫外線が照射された状況下での使用状態を示したものである。
【符号の説明】
【００２６】
１  腕時計
２  ケース部
３  風防ガラス
４  文字盤
５  時針
６  分針
７  りゅうず
８  ベルト取付部
９ａ，９ｂ  ベルト
１０ａ，１０ｂ  感紫外線発色部
１１ａ，１１ｂ  発光部
【図１】
0003140649.tif 000003
【図２】
0003140649.tif 000004
【図３】
0003140649.tif 000005
【図４】
0003140649.tif 000006